(57)【特許請求の範囲】
【請求項１】
第一及び第二の周波数帯のテレビジョン信号が入力される第一及び第二のピンダイオードと、前記第一のピンダイオードを通過するテレビジョン信号を増幅すると共にＡＧＣ電圧によって動作電流が変化する第一の利得制御増幅器と、前記第二のピンダイオードを通過するテレビジョン信号を増幅すると共に前記ＡＧＣ電圧によって利得が変化する第二の利得制御増幅器と、前記第一のピンダイオードと前記第一の利得制御増幅器との間に介挿されて前記第一の周波数帯のテレビジョン信号を通過する第一のバンドパスフィルタと、前記第二のピンダイオードと前記第二の利得制御増幅器との間に介挿されて前記第二の周波数帯のテレビジョン信号を通過する第二のバンドパスフィルタとを備え、前記第一の利得制御増幅器又は前記第二の利得制御増幅器に電源電圧を切り替えて供給し、前記第一の利得制御増幅器の動作電流を前記第一のピンダイオードに流し、前記第二の利得制御増幅器の動作電流を前記第二のピンダイオードに流したことを特徴とするＡＧＣ回路。
【請求項２】
前記第一の利得制御増幅器の増幅素子に第一のＦＥＴを用い、前記第二の利得制御増幅器の増幅素子に第二のＦＥＴを用い、前記第一のＦＥＴのソースをグランドに接続するバイアス抵抗と、前記第二のＦＥＴのソースをグランドに接続するバイアス抵抗と、前記第一のＦＥＴのドレイン又は前記第二のＦＥＴのドレインに前記電源電圧を切り替えて印加する切替手段と、前記第一及び第二のピンダイオードのカソードをグランドに接続するバイアス抵抗とを設け、前記第一及び第二のＦＥＴの第二ゲートに前ＡＧＣ電圧を供給し、前記第一のＦＥＴのソースを前記第一のピンダイオードのアノードに接続し、前記第二のＦＥＴのソースを前記第二のピンダイオードのアノードに接続したことを特徴とする請求項１に記載のＡＧＣ回路。
【請求項３】
前記第一の周波数帯のテレビジョン信号をＶＨＦ帯のテレビジョン信号とし、前記第二の周波数帯のテレビジョン信号をＵＨＦ帯のテレビジョン信号としたことを特徴とする請求項１又は２に記載のＡＧＣ回路。
【請求項４】
前記第一の周波数帯のテレビジョン信号をＶＨＦ帯のローバンドのテレビジョン信号とし、前記第二の周波数帯のテレビジョン信号をＶＨＦ帯のハイバンドのテレビジョン信号としたことを特徴とする請求項１又は２に記載のＡＧＣ回路。
【発明の詳細な説明】
【０００１】
【発明の属する技術分野】
本発明は、テレビジョンチューナ等に使用されるＡＧＣ回路に関する。
【０００２】
【従来の技術】
従来のＡＧＣ回路を図２に示す。図２において、入力端子２１には少なくとも二つの周波数帯域のテレビジョン信号が入力される。例えば、一つはＶＨＦ帯のテレビジョン信号であり、他の一つはＵＨＦ帯のテレビジョン信号である。入力端子２１にカソードが接続されたピンダイオード２２は可変減衰器として使用され、カソードが抵抗２３を介して接地され、アノードにはＡＧＣドライバ２４からＡＧＣ用の電流が供給される。ＡＧＣドライバ２４はピンダイオード２２に十分な電流を流すために使用される。
【０００３】
ピンダイオード２２のアノードには直流カットコンデンサ２５を介して第一のスイッチダイオード２６及び第二のスイッチダイオード２７の各カソードが接続される。第一及び第二のスイッチダイオード２６、２７のカソードは抵抗２８によって接地される。そして、第一のスイッチダイオード２６のアノードは第一のバンドパスフィルタ２９を介して第一の利得制御増幅器３０の増幅素子である第一のＦＥＴ３０ａの第一ゲートに接続され、第二のスイッチダイオード２７のアノードは第二のバンドパスフィルタ３１を介して第二の利得制御増幅器３２の増幅素子である第二のＦＥＴ３２ａの第一ゲートにに接続される。
【０００４】
第一のバンドパスフィルタ２９は第一の周波数帯のテレビジョン信号を通過し、第二のバンドパスフィルタ３１は第二の周波数帯のテレビジョン信号を通過する。
第一のスイッチダイオード２６のアノード及び第一のＦＥＴ委３０ａのドレイン又は第二のスイッチダイオード２７のアノード及び第二のＦＥＴ３２ａのドレインには切替スイッチ３３から電源電圧Ｖｂが供給される。また、各第二ゲートにはＡＧＣ電圧が供給される。ＡＧＣ電圧はＡＧＣドライバ２４にも供給される。
【０００５】
以上の構成において、切替スイッチ３３によって第一のスイッチダイオード２６のアノードと第一のＦＥＴ３０ａのドレインに電源電圧を供給すると、第一のスイッチダイオード２６が導通し、第一のＦＥＴ３０ａが動作する。すると、入力されているテレビジョン信号は第一のスイッチダイオード２６を通過するが、そのうちの第一の周波数帯のテレビジョン信号が第一のバンドパスフィルタ２９を介して第一のＦＥＴ３０ａの第一ゲートに入力される。そして、増幅された第一の周波数帯のテレビジョン信号が第一のＦＥＴ３０ａのドレインから出力される。
【０００６】
また、ＡＧＣ電圧はＡＧＣドライバ２４と第一のＦＥＴ３０ａの第二ゲートとに供給されるので、その電圧によってピンダイオード２２の電流と第一のＦＥＴ３０ａのドレイン電流が変えられ、ピンダイオード２２による減衰量が制御されると共に、第一の利得制御増幅器３０の利得が制御される。
【０００７】
一方、切替スイッチ３３によって第二のスイッチダイオード２７のアノードと第二のＦＥＴ３２ａのドレインに電源電圧を供給すると、第二のスイッチダイオード２７が導通し、第二のＦＥＴ３２ａが動作する。すると、入力されているテレビジョン信号は第二のスイッチダイオード２７を通過するが、そのうちの第二の周波数帯のテレビジョン信号が第二のバンドパスフィルタ３１を介して第二のＦＥＴ３２ａの第一ゲートに入力される。そして、増幅された第二の周波数帯のテレビジョン信号が第二のＦＥＴ３２ａのドレインから出力される。
【０００８】
一方、ＡＧＣ電圧はＡＧＣドライバ２４と第二のＦＥＴ３２ａの第二ゲートとに供給されるので、その電圧によってピンダイオード２２の電流と第二のＦＥＴ３２ａのドレイン電流が変えられ、ピンダイオード２２の減衰量が制御されると共に、第二の利得制御増幅器３２の利得が制御される。
【０００９】
【発明が解決しようとする課題】
上記従来のＡＧＣ回路では、一個のピンダイオードを二つの周波数帯のテレビジョン信号の減衰制御に兼用しているが、ピンダイオードを電流制御する必要があることから、ＡＧＣドライバを必要としている。また、テレビジョン信号の周波数帯を切り替えるために二つのスイッチダイオードを使用している。
このため、回路構成が複雑となり、コストを押し上げていた。
【００１０】
そこで、本発明のＡＧＣ回路は、簡単な構成によってテレビジョン信号の周波数帯の切替とピンダイオードの電流制御を行い、製品コストの低減を図ることを目的とする。
【００１１】
【課題を解決するための手段】
上記の課題を解決する手段として、本発明では、第一及び第二の周波数帯のテレビジョン信号が入力される第一及び第二のピンダイオードと、前記第一のピンダイオードを通過するテレビジョン信号を増幅すると共にＡＧＣ電圧によって動作電流が変化する第一の利得制御増幅器と、前記第二のピンダイオードを通過するテレビジョン信号を増幅すると共に前記ＡＧＣ電圧によって利得が変化する第二の利得制御増幅器と、前記記第一のピンダイオードと前記第一の利得制御増幅器との間に介挿され前記第一の周波数帯のテレビジョン信号を通過する第一のバンドパスフィルタと、記第二のピンダイオードと前記第二の利得制御増幅器との間に介挿されて前記第二の周波数帯のテレビジョン信号を通過する第二のバンドパスフィルタとを備え、前記第一の利得制御増幅器又は前記第二の利得制御増幅器に電源電圧を切り替えて供給し、前記第一の利得制御増幅器の動作電流を前記第一のピンダイオードに流し、前記第二の利得制御増幅器の動作電流を前記第二のピンダイオードに流した。
【００１２】
また、前記第一の利得制御増幅器の増幅素子に第一のＦＥＴを用い、前記第二の利得制御増幅器の増幅素子に第二のＦＥＴを用い、前記第一のＦＥＴのソースをグランドに接続するバイアス抵抗と、前記第二のＦＥＴのソースをグランドに接続するバイアス抵抗と、前記第一のＦＥＴのドレイン又は前記第二のＦＥＴのドレインに前記電源電圧を切り替えて印加する切替手段と、前記第一及び第二のピンダイオードのカソードをグランドに接続するバイアス抵抗とを設け、前記第一及び第二のＦＥＴの第二ゲートに前ＡＧＣ電圧を供給し、前記第一のＦＥＴのソースを前記第一のピンダイオードのアノードに接続し、前記第二のＦＥＴのソースを前記第二のピンダイオードのアノードに接続した。
【００１３】
また、前記第一の周波数帯のテレビジョン信号をＶＨＦ帯のテレビジョン信号とし、前記第二の周波数帯のテレビジョン信号をＵＨＦ帯のテレビジョン信号とした。
【００１４】
また、前記第一の周波数帯のテレビジョン信号をＶＨＦ帯のローバンドのテレビジョン信号とし、前記第二の周波数帯のテレビジョン信号をＶＨＦ帯のハイバンドのテレビジョン信号とした。
【００１５】
【発明の実施の形態】
以下本発明のＡＧＣ回路を図１に従って説明する。入力端子１には第一の周波数帯のテレビジョン信号と第二の周波数帯のテレビジョン信号との少なくとも二つの周波数帯のテレビジョン信号が入力される。例えば、ＶＨＦ帯のテレビジョン信号とＵＨＦ帯のテレビジョン信号とが入力された場合、一方が第一の周波数帯のテレビジョン信号となり、他方が第二の周波数帯のテレビジョン信号となる。また、ＶＨＦ帯のローバンドのテレビジョン信号とハイバンドのテレビジョン信号が入力された場合は、一方が第一の周波数帯のテレビジョン信号となり、他方が第二のテレビジョン信号となる。
【００１６】
そして、入力端子１には可変減衰器として使用される第一のピンダイオード２のカソードと第二のピンダイオード３のカソードとが接続される。各カソードは共通のバイアス抵抗４を介してグランドに接地される。
【００１７】
第一のピンダイオード２のアノードは直流カットコンデンサ５を介して第一のバンドパスフィルタ６に接続され、第一のバンドパスフィルタ６は直流カットコンデンサ７を介して第一の利得制御増幅器８に接続される。即ち、第一のピンダイオード２と第一の利得制御増幅器８との間に第一のバンドパスフィルタ６が介挿される。第一のバンドパスフィルタ６は第一の周波数帯のテレビジョン信号をを通過する。
【００１８】
同様に、第二のピンダイオード３のアノードは直流カットコンデンサ９を介して第二のバンドパスフィルタ１０に接続され、第二のバンドパスフィルタ１０は直流カットコンデンサ１１を介して第二の利得制御増幅器１２に接続される。即ち、第二のピンダイオード３と第二の利得制御増幅器１２との間に第二のバンドパスフィルタ１０が介挿される。第二のバンドパスフィルタ１０は第二の周波数帯のテレビジョン信号を通過する。
【００１９】
第一の利得制御増幅器８には第一のＦＥＴ８ａが増幅素子として用いられる。そして、そのドレインには負荷抵抗８ｂが接続され、切替スイッチ１３を介して電源電圧Ｖｂが負荷抵抗８ｂに供給される。ソースはバイアス抵抗８ｃ及びバイパスコンデンサ８ｄを介してグランドに接地される。また、第二ゲートには給電抵抗８ｅを介してＡＧＣ電圧が印加される。ＡＧＣ電圧は図示しないＡＧＣ電圧発生回路から出力され、ＡＧＣ端子１４に入力される。第一ゲートは直流カットコンデンサ７に接続される。そして、ソースと第一のピンダイオード２のアノードとが第一の抵抗１５によって接続される。
【００２０】
一方、第二の利得制御増幅器１２には第二のＦＥＴ１２ａが増幅素子として用いられる。そして、そのドレインには負荷抵抗１２ｂが接続され、切替スイッチ１３を介して電源電圧Ｖｂが負荷抵抗１２ｂに供給される。ソースはバイアス抵抗１２ｃ及びバイパスコンデンサ１２ｄを介してグランドに接地される。また、第二ゲートには給電抵抗１２ｅを介してＡＧＣ電圧が印加される。第一ゲートは直流カットコンデンサ１１に接続される。そして、ソースと第二のピンダイオード３のアノードとが第二の抵抗１６によって接続される。
【００２１】
切替スイッチ１３は単極双投型のスイッチ手段であり、図示はしないが、例えばスイッチダイオードによって回路的に構成される。そして、電源端子１７に印加されている電源電圧Ｖｂを第一のＦＥＴ８ａの負荷抵抗８ｂ又は第二のＦＥＴ１２ａの負荷抵抗１２ｂに切り替えて供給する。
【００２２】
以上の構成において、切替スイッチ１３によって負荷抵抗８ｂに電源電圧を供給すると、第一のＦＥＴ８ａが動作し、動作電流であるドレイン電流が流れる。すると、ソースに電圧を発生し、この電圧よって第一のピンダイオード２に電流が流れて導通する。ＡＧＣ電圧が増減すればそれに対応してドレイン電流が増減し、ソースの電圧も増減するので第一のピンダイオード２の電流も増減する。また、第一の利得制御増幅器８の利得も増減する。従って、ＡＧＣ電圧が高いと、第一の利得制御増幅器８の利得が大きくなり、第一のピンダイオード２の減衰量が小さくなる。反対に、ＡＧＣ電圧が低下すれば、利得が低下すると共に第一のピンダイオード２の減衰量が増大する。
【００２３】
この結果、入力端子１に入力されているテレビジョン信号が第一のピンダイオード２を通過して第一のバンドパスフィルタ６に入力されるが、第一の利得制御増幅器８には第一の周波数帯のテレビジョン信号のみが入力される。そして、第一の周波数帯のテレビジョン信号は第一のピンダイオード２と第一の利得制御増幅器８によってそのレベルが一定になるように制御され、第一のＦＥＴ８ａのドレインから出力され、結合コンデンサ１８を介して第一の出力端子１９に出力される。
【００２４】
一方、切替スイッチ１３によって負荷抵抗１２ｂに電源電圧を供給すると、同様に、第二のＦＥＴ１２ａが動作し、動作電流であるドレイン電流が流れる。すると、ソースに電圧を発生し、この電圧よって第二のピンダイオード３に電流が流れて導通する。ＡＧＣ電圧が増減すればそれに対応してドレイン電流が増減し、ソースの電圧も増減するので第二のピンダイオード３の電流も増減する。また、第二の利得制御増幅器１２の利得も増減する。従って、ＡＧＣ電圧が高いと、第二の利得制御増幅器１２の利得が大きくなり、第二のピンダイオード３の減衰量が小さくなる。反対に、ＡＧＣ電圧が低下すれば、利得が低下すると共に第二のピンダイオード３の減衰量が増大する。
【００２５】
この結果、入力端子１に入力されているテレビジョン信号が第二のピンダイオード３を通過して第二のバンドパスフィルタ１０に入力されるが、第二の利得制御増幅器１２には第二の周波数帯のテレビジョン信号のみが入力される。そして、第二の周波数帯のテレビジョン信号は第二のピンダイオード３と第二の利得制御増幅器１２によってそのレベルが一定になるように制御され、第二のＦＥＴ１２ａのドレインから出力され、結合コンデンサ２０を介して第二の出力端子２１に出力される。
【００２６】
以上の動作から明らかなように、本発明のＡＧＣ回路においては、第一のピンダイオード２と第二のピンダイオード３とは可変減衰器として機能するだけでなく、テレビジョン信号の周波数帯を切り替える機能を兼ねている。
また、第一のピンダイオード２には第一のＦＥＴ８ａのソースからＡＧＣのための電流が供給され、第二のピンダイオード３には第二のＦＥＴ１２ａのソースからＡＧＣのための電流が供給されるので、各ピンダイオード２、３に対する電流供給用の専用のＡＧＣドライバが不要となる。
【００２７】
【発明の効果】
以上のように、本発明は、第一及び第二の周波数帯のテレビジョン信号とが入力される第一及び第二のピンダイオードにそれぞれ第一の利得制御増幅器及び第二の利得制御増幅器から動作電流を流したので、第一のピンダイオードと第二のピンダイオードとは可変減衰器として機能するだけでなく、テレビジョン信号の周波数帯を切り替える機能を兼ねる。
また、各ピンダイオードに対する電流供給用の専用のＡＧＣドライバが不要となる。
【００２８】
また、第一の威徳制御増幅器に用いる第一のＦＥＴのソースを第一のピンダイオードのアノードに接続し、第二の利得制御増幅器に用いる第二のＦＥＴのソースを第二のピンダイオードのアノードに接続したので、各ピンダイオードには減衰量を変えるための電流を簡単に流せる。
【００２９】
また、第一の周波数帯のテレビジョン信号をＶＨＦ帯のテレビジョン信号とし、第二の周波数帯のテレビジョン信号をＵＨＦ帯のテレビジョン信号としたので、ＶＨＦ帯のテレビジョン信号とＵＨＦ帯のテレビジョン信号とを切り替えて受信できる。
【００３０】
また、第一の周波数帯のテレビジョン信号をＶＨＦ帯のローバンドのテレビジョン信号とし、第二の周波数帯のテレビジョン信号をＶＨＦ帯のハイバンドのテレビジョン信号としたので、ＶＨＦ帯のローバンドのテレビジョン信号とハイバンドのテレビジョン信号とを切り替えて受信できる。
【図面の簡単な説明】
【図１】本発明のＡＧＣ回路の構成を示す回路図である。
【図２】従来のＡＧＣ回路の構成を示す回路図である。
【符号の説明】
１  入力端子
２  第一のピンダイオード
３  第二のピンダイオード
４  バイアス抵抗
５、７、９、１１  直流カットコンデンサ
６  第一のバンドパスフィルタ
８  第一の利得制御増幅器
８ａ  第一のＦＥＴ
８ｂ  負荷抵抗
８ｃ  バイアス抵抗
８ｄ  バイパスコンデンサ
８ｅ  給電抵抗
１０  第二のバンドパスフィルタ
１２  第二の利得制御増幅器
１２ａ  第二のＦＥＴ
１２ｂ  負荷抵抗
１２ｃ  バイアス抵抗
１２ｄ  バイパスコンデンサ
１２ｅ  給電抵抗
１３  切替スイッチ
１４  ＡＧＣ端子
１５  第一の抵抗
１６  第二の抵抗
１７  電源端子
１８、２０  結合コンデンサ
１９  第一の出力端子
２１  第二の出力端子
【図１】
0003558958.tif 000002
【図２】
0003558958.tif 000003